(57)【要約】【課題】発呼側端末ごとでの設定を行わずに、容易に設定して着信音を鳴り分けること。【解決手段】発信エンドポイント装置１１１の発呼先である着信エンドポイント装置１１２が、発信エンドポイント装置１１１とともにゲートキーパ装置１１０に接続されており、ゲートキーパ装置１１０にアドレスを管理されている。着信エンドポイント装置１１２は、発信エンドポイント装置１１１の発呼先であり、着呼を報知する鳴動部１１２４と、ゲートキーパ装置１１０にて予め設定された着呼の着信音種別を受信し、この受信した着信音種別に基づいて、鳴動部１１２４を用いて着呼の報知形態を制御する。【選択図】      図２
2005026997.tif 000002
【特許請求の範囲】
【請求項１】
発呼側の通信端末装置とともにゲートキーパ装置にアドレスが管理され、前記発呼側の通信端末装置の発呼先である着呼側の通信端末装置であって、
着呼を報知する報知手段と、前記ゲートキーパ装置にて予め設定された着呼の報知形態設定情報を受信し、この受信した報知形態設定情報に基づいて、前記報知手段を用いて着呼の報知形態を制御する報知制御手段とを具備することを特徴とする通信端末装置。
【請求項２】
報知形態設定情報に対応する報知形態パタンが記憶された報知形態パタン記憶手段を備え、前記報知制御手段は、前記ゲートキーパ装置から受信した前記報知形態設定情報に対応した報知形態パタンを前記報知形態パタン記憶手段から読み出すことにより前記報知手段を用いて着呼の報知形態を制御することを特徴とする請求項１記載の通信端末装置。
【請求項３】
前記報知形態設定情報は、前記ゲートキーパ装置が管理する通信端末装置毎に対応付けられていることを特徴とする請求項１または２記載の通信端末装置。
【請求項４】
複数の通信端末装置が設けられた通信システム内に設けられ、前記複数の通信端末装置のアドレスを管理するゲートキーパ装置において、
所定の通信端末装置の発呼先である着呼側の通信端末装置における着呼の報知形態を設定する報知形態設定情報を記憶する報知形態設定情報記憶手段と、前記報知形態設定情報記憶手段に記憶される前記報知形態設定情報を前記着呼側の通信端末装置に送信する送信制御手段とを具備することを特徴とするゲートキーパ装置。
【請求項５】
前記報知形態設定情報記憶手段は、前記報知形態設定情報を前記所定の通信端末装置に対応づけて記憶し、前記送信制御手段は、前記着呼側の通信端末装置に、発呼側の通信端末装置となる前記所定の通信端末装置に対応した報知形態設定情報を送信することを特徴とする請求項４記載のゲートキーパ装置。
【請求項６】
前記送信制御手段は、前記報知形態設定情報をＡＣＦ信号に含ませて送信することを特徴とする請求項４または請求項５記載のゲートキーパ装置。
【請求項７】
前記通信システムには、別のゲートキーパ装置が設けられ、前記送信制御手段は、前記着呼側の通信端末装置が自己の管理していない通信端末装置である場合、前記別のゲートキーパ装置に対して着呼側の通信端末装置の位置情報要求を行うことを特徴とする請求項４から請求項６のいずれかに記載のゲートキーパ装置。
【請求項８】
前記送信制御手段は、発呼側の通信端末装置である前記所定の通信端末装置に対応する報知形態設定情報を報知形態設定情報記憶手段から取得できない場合、予め規定される報知形態設定情報を前記着呼側の通信端末装置に送信することを特徴とする請求項４から請求項７のいずれかに記載のゲートキーパ装置。
【請求項９】
発呼側の通信端末装置と、当該発呼側の通信端末装置の発呼先である着呼側の通信端末装置と、前記発呼側の通信端末装置および前記着呼側の通信端末装置の各アドレスを管理するゲートキーパ装置とを備える通信システムにおいて、
前記ゲートキーパ装置は、前記着呼側の通信端末装置における着呼の報知形態を設定する報知形態設定情報を記憶する報知形態設定情報記憶手段と、前記報知形態設定情報記憶手段に記憶される報知形態設定情報を前記着呼側の通信端末装置に送信する送信制御手段とを備え、前記着呼側の通信端末装置は、着呼を報知する報知手段と、前記ゲートキーパ装置からの報知形態設定情報を受信し、この受信した報知形態設定情報に基づいて、前記報知手段を用いて着呼の報知形態を制御する報知制御手段とを具備することを特徴とする通信システム。
【請求項１０】
前記報知形態設定情報記憶手段は、前記報知形態設定情報と発呼側の通信端末装置とを対応付けて記憶し、前記送信制御手段は、前記着呼側の通信端末装置に、発呼側の通信端末装置に対応した報知形態設定情報を送信することを特徴とする請求項９記載の通信システム。
【請求項１１】
前記ゲートキーパ装置には、別のゲートキーパ装置が接続され、前記通信制御手段は、発呼側の通信端末装置から接続要求された着呼側の通信端末装置が、自己の管理していない端末である場合に、前記別のゲートキーパ装置に対して、着呼側の通信端末装置の位置情報要求を行うとともに、前記報知形態設定情報と発呼側の通信端末装置の識別情報を与えるように構成され、前記別のゲートキーパ装置は、前記位置情報要求とともに与えられた報知形態設定情報と発信側の通信端末装置の識別情報とを記憶する記憶手段と、前記着呼側の通信端末装置から前記別のゲートキーパ装置に対して参加要求がなされると前記記憶手段に記憶される識別情報に基づいて報知形態設定情報を前記着呼側の通信端末装置に送信する送信手段とを有することを特徴とする請求項９または請求項１０記載の通信システム。
【請求項１２】
複数の通信端末装置と、これら複数の通信端末装置が接続され、これら複数の通信端末装置のうち少なくとも一つを管理するゲートキーパ装置とを有する通信システムを用いた通信制御方法において、
ゲートキーパ装置が、所定の通信端末装置から発呼された着呼側の通信端末装置からの接続要求に対して、着呼の報知形態を設定する報知形態設定情報を前記着呼端末に送信するステップと、前記着呼側の通信端末装置が、前記ゲートキーパ装置から受信した報知形態設定情報に対応して、着呼の報知形態を制御するステップとを具備することを特徴とする通信制御方法。
【発明の詳細な説明】
【０００１】
【発明の属する技術分野】
本発明は、ＴＴＣ標準ＪＴ−Ｈ３２３又はＩＴＵ−Ｔ勧告Ｈ．３２３に基づく通信システムにおける、着呼側の通信端末装置、これを管理するゲートキーパ装置および通信制御方法に関する。
【０００２】
【従来の技術】
従来、ＴＴＣ標準ＪＴ−Ｈ３２３又はＩＴＵ−Ｔ勧告Ｈ．３２３に基づいた通信システムは、呼の発信元となる発信エンドポイント装置と、呼の着信先となる着信エンドポイント装置と、これらエンドポイント装置間の呼を管理するゲートキーパ装置とから構成される。
【０００３】
この通信システムを動作させる際には、エンドポイント装置とゲートキーパ装置間などで、エンドポイント装置の登録や通信の許可および、通信状態の制御を行うためのＡＲＱ（参加要求）、ＡＣＦ（参加確認）、ＬＲＱ（位置情報要求）、ＬＣＦ（位置情報確認）等のＨ．２２５．０ＲＡＳ制御メッセージと、エンドポイント装置間などで呼の確立、解放を行うためのＳＥＴＵＰ（呼確立要求）、ＲＥＬＥＡＳＥＣＯＭＰＬＥＴＥ（呼解放完了）、ＡＬＥＲＴＩＮＧ（呼び出し中）等のＨ．２２５．０呼制御メッセージと、呼の確立後にエンドポイント装置間などで実行可能な圧縮符号化方式やプロトコルを互いに通知しあう手順を定めたＨ．２４５制御メッセージと、を用いる。
【０００４】
ところで、このようなＨ．３２３の通信システムにおいて、ある着信エンドポイント装置における着信音を、発信エンドポイント装置に応じて鳴り分けるようにしたいという要望がある。
【０００５】
この場合、非特許文献１に記載されているように、発信エンドポイント装置から着信エンドポイント装置に送信されるＳＥＴＵＰメッセージの中に、着信音種別情報をセットし、これに応じて、着信エンドポイント装置では、着信音を鳴り分けるという方法が考えられる。
【０００６】
【非特許文献１】
ＪＴ−Ｈ２２５．０パケットに基づく通信システムのためのプロトコルとメディア信号のパケット化
社団法人  電信電話技術委員会  第４版
【０００７】
【発明が解決しようとする課題】
しかしながら、上述した勧告書に記載された着信音の鳴り分け方法では、発信エンドポイント装置毎に、発呼先のエンドポイント装置における着信音を設定しなければならず、面倒であるという問題があった。
【０００８】
本発明はかかる点に鑑みてなされたものであり、発呼側の通信端末装置ごとでの設定を行わずに、容易に設定して着信音を鳴り分けることができる着呼側の通信端末装置、ゲートキーパ装置、通信システムおよび通信制御方法を提供することを目的とする。
【０００９】
【課題を解決するための手段】
本発明は、発呼側の通信端末装置とともにゲートキーパ装置にアドレスが管理され、前記発呼側の通信端末装置の発呼先である着呼側の通信端末装置であって、着呼を報知する報知手段と、前記ゲートキーパ装置にて予め設定された着呼の報知形態設定情報を受信し、この受信した報知形態設定情報に基づいて、前記報知手段を用いて着呼の報知形態を制御する報知制御手段と、を具備する通信端末装置である。
【００１０】
【発明の実施の形態】
本発明の第１の態様は、発呼側の通信端末装置とともにゲートキーパ装置にアドレスが管理され、前記発呼側の通信端末装置の発呼先である着呼側の通信端末装置であって、着呼を報知する報知手段と、前記ゲートキーパ装置にて予め設定された着呼の報知形態設定情報を受信し、この受信した報知形態設定情報に基づいて、前記報知手段による着呼の報知形態を制御する報知制御手段とを具備する通信端末装置である。
【００１１】
本発明によれば、報知制御手段は、ゲートキーパ装置にて予め設定された着呼の報知形態設定情報を受信し、この報知形態設定情報に基づいて報知手段による着呼の報知形態を制御するため、ゲートキーパ装置から送信される報知形態設定情報に応じて着呼の報知形態を制御することができる。すなわち、ゲートキーパ装置により着呼の報知形態が管理されており、この報知形態が着信音を鳴動させる形態である場合、着信音のパタンをゲートキーパ装置側で容易に設定して、着信音を鳴り分けることができる。
【００１２】
本発明の第２の態様は、第１の態様の着呼側の通信端末装置において、報知形態設定情報に対応する報知形態パタンが記憶された報知形態パタン記憶手段を備え、前記報知制御手段は、前記ゲートキーパ装置から受信した前記報知形態設定情報に対応した報知形態パタンを前記報知形態パタン記憶手段から読み出すことにより前記報知手段を用いて着呼の報知形態を制御する通信端末装置である。
【００１３】
本発明によれば、報知制御手段は、ゲートキーパ装置から受信した報知形態設定情報に対応した報知形態パタンを報知形態パタン記憶手段から読み出して報知手段を用いて着呼の報知形態を制御するため、ゲートキーパ装置から送信される報知形態設定情報に応じた着呼の報知形態を制御することができる。すなわち、ゲートキーパ装置に着呼の報知形態を管理させることができる。また、報知形態設定情報に対応する報知形態パタンが報知形態パタン記憶手段に記憶されているので、ゲートキーパ装置から送信される報知形態設定情報の情報量を、当該報知形態設定情報に報知形態パタンまで含ませたものと比べて、少なくすることができる。
【００１４】
本発明の第３の態様は、第１または第２の態様の着呼側の通信端末装置において、前記報知形態設定情報は、前記ゲートキーパ装置が管理する通信端末装置毎に対応付けられている着呼側の通信端末装置である。
【００１５】
本発明によれば、ゲートキーパ装置から送信される報知形態設定情報は、ゲートキーパ装置が管理する通信端末装置毎に対応付けられているので、着呼側の通信端末装置における着呼の報知形態は、通信端末装置毎に対応した報知形態となる。つまり、着呼の報知形態によって、どの通信端末装置からの発呼であるかを、実際に応答することなく知ることができる。また、発呼した通信端末装置毎の報知形態設定情報をゲートキーパ装置に一元管理させることができる。
【００１６】
本発明の第４の態様は、複数の通信端末装置が設けられた通信システム内に設けられ、前記複数の通信端末装置のアドレスを管理するゲートキーパ装置において、所定の通信端末装置の発呼先である着呼側の通信端末装置における着呼の報知形態を設定する報知形態設定情報を記憶する報知形態設定情報記憶手段と、前記報知形態設定情報記憶手段に記憶される前記報知形態設定情報を前記着呼側の通信端末装置に送信する送信制御手段とを具備するゲートキーパ装置である。
【００１７】
本発明によれば、送信制御手段は、報知形態設定情報記憶手段から、着呼側の通信端末装置における着呼の報知形態を設定する報知形態設定情報を、着呼側の通信端末装置に送信するため、ゲートキーパ装置自体により着呼側の通信端末装置の報知形態を管理することができる。つまり、着呼側の通信端末装置での着呼の報知形態を管理できるので、報知形態が着信音を鳴動させる形態である場合、着信音のパタンをゲートキーパ装置側で変更することで、着呼側の通信端末装置での着信音を鳴り分けることができる。
【００１８】
本発明の第５の態様は、第４の態様のゲートキーパ装置において、前記報知形態設定情報記憶手段は、前記報知形態設定情報を前記所定の通信端末装置に対応づけて記憶し、前記送信制御手段は、前記着呼側の通信端末装置に、発呼側の通信端末装置となる前記所定の通信端末装置に対応した報知形態設定情報を送信するゲートキーパ装置である。
【００１９】
本発明によれば、所定の通信端末装置に対応した報知形態設定情報が報知形態設定情報記憶手段により記憶されているので、発呼側の通信端末装置となる通信端末装置毎の報知形態設定情報を一元管理することができ、所定の通信端末装置に対応する報知形態を変更したい場合、通信端末装置毎に変更する必要がなく、ゲートキーパ装置にて、報知形態設定情報を変更することができる。また、送信制御手段は、着呼側の通信端末装置に、発呼側の通信端末装置となる前記所定の通信端末装置に対応した報知形態設定情報を送信するため、着呼側の通信端末装置での着呼の形態を発呼側の通信端末装置に対応した報知形態にすることができる。つまり、着呼側の通信端末装置では、着呼の報知形態により、どの通信端末装置からの発呼であるか、通信端末装置を用いて実際に応答することなく知ることができる。
【００２０】
本発明の第６の態様は、第４または第５の態様のゲートキーパ装置において、前記送信制御手段は、前記報知形態設定情報をＡＣＦ信号に含ませて送信するゲートキーパ装置である。
【００２１】
本発明によれば、報知形態設定情報はＡＣＦ信号に含ませて送信されるため、Ｈ．２２５．０ＲＡＳ制御メッセージを用いて、ゲートキーパ装置により着呼側の通信端末装置に報知形態設定情報を送信することができ、ゲートキーパ装置において、Ｈ．２２５．０ＲＡＳ制御メッセージを用いた着呼の報知形態を管理することができる。
【００２２】
本発明の第７の態様は、第４から第６のいずれかの態様のゲートキーパ装置において、前記通信システムには、別のゲートキーパ装置が設けられ、前記送信制御手段は、前記着呼側の通信端末装置が自己の管理していない端末である場合、前記別のゲートキーパ装置に対して着呼側の通信端末装置の位置情報要求を行うゲートキーパ装置である。
【００２３】
本発明によれば、ゲートキーパ装置の送信制御手段は、着呼側の通信端末装置が自己の管理していない端末である場合、別のゲートキーパ装置に対して着呼側の通信端末装置の位置情報要求を行うため、ゾーンの異なる別のゲートキーパ装置に接続することができる。
【００２４】
本発明の第８の態様は、第４から第７の態様のいずれかの態様のゲートキーパ装置において、前記送信制御手段は、発呼側の通信端末装置である前記所定の通信端末装置に対応する報知形態設定情報を報知形態設定情報記憶手段から取得できない場合、予め規定される報知形態設定情報を前記着呼側の通信端末装置に送信するゲートキーパ装置である。
【００２５】
本発明によれば、前記所定の通信端末装置に対応する着呼側の通信端末装置における着呼の報知形態が設定されていない等、着呼の報知形態設定情報を取得できない場合でも、着呼側の通信端末装置に規定の報知形態設定情報を送信して、当該着呼側の通信端末装置で着呼を制御させることができる。
【００２６】
本発明の第９の態様は、発呼側の通信端末装置と、当該発呼側の通信端末装置の発呼先である着呼側の通信端末装置と、前記発呼側の通信端末装置および前記着呼側の通信端末装置の各アドレスを管理するゲートキーパ装置とを備える通信システムにおいて、前記ゲートキーパ装置は、前記着呼側の通信端末装置における着呼の報知形態を設定する報知形態設定情報を記憶する報知形態設定情報記憶手段と、前記報知形態設定情報記憶手段に記憶される報知形態設定情報を前記着呼側の通信端末装置に送信する送信制御手段とを備え、前記着呼側の通信端末装置は、着呼を報知する報知手段と、前記ゲートキーパ装置からの報知形態設定情報を受信し、この受信した報知形態設定情報に基づいて、前記報知手段を用いて着呼の報知形態を制御する報知制御手段とを具備する通信システムである。
【００２７】
本発明によれば、ゲートキーパ装置が、着呼の報知形態を設定する報知形態設定情報を着呼側の通信端末装置に送信し、着呼側の通信端末装置は、報知形態設定情報に基づき報知手段を用いて着呼の報知形態を制御するため、着呼側の通信端末装置での着呼の報知形態をゲートキーパ装置により管理することができ、ゲートキーパ装置によりその報知形態の設定を変更することができる。例えば、報知形態が着信音を鳴らす形態である場合、報知状態設定情報を変更することで、着信音の着信パタンを変更して、着呼側の通信端末装置での着信音の鳴り分けを行うことができる。
【００２８】
本発明の第１０の態様は、第９の態様の通信システムにおいて、前記報知形態設定情報記憶手段は、前記報知形態設定情報と発呼側の通信端末装置とを対応付けて記憶し、前記送信制御手段は、前記着呼側の通信端末装置に、発呼側の通信端末装置に対応した報知形態設定情報を送信する通信システムである。
【００２９】
本発明によれば、ゲートキーパ装置において、着呼側の通信端末装置に送信される報知形態設定情報が発呼側の通信端末装置に対応づけられているため、発呼側の通信端末装置の報知形態設定情報を一元管理することができ、発呼側の通信端末装置に対応する報知形態を変更したい場合、端末毎に変更する必要がなく、ゲートキーパ装置にて、報知形態設定情報を変更することができる。また、着呼側の通信端末装置には、発呼側の通信端末装置に対応した報知形態設定情報が送信されるため、着呼側の通信端末装置での着呼の形態を発呼側の通信端末装置に対応した報知形態にすることができる。つまり、着呼側の通信端末装置では、着呼の報知形態により、どの通信端末装置からの発呼であるか、端末を用いて実際に応答することなく知ることができる。
【００３０】
本発明の第１１の態様は、第９または第１０の態様の通信システムにおいて、前記ゲートキーパ装置には、別のゲートキーパ装置が接続され、前記通信制御手段は、発呼側の通信端末装置から接続要求された着呼側の通信端末装置が、自己の管理していない端末である場合に、前記別のゲートキーパ装置に対して、着呼側の通信端末装置の位置情報要求を行うとともに、前記報知形態設定情報と発呼側の通信端末装置の識別情報を与えるように構成され、前記別のゲートキーパ装置は、前記位置情報要求とともに与えられた報知形態設定情報と発信側の通信端末装置の識別情報とを記憶する記憶手段と、前記着呼側の通信端末装置から前記別のゲートキーパ装置に対して参加要求がなされると前記記憶手段に記憶される識別情報に基づいて報知形態設定情報を前記着呼側の通信端末装置に送信する送信手段とを有する通信システムである。
【００３１】
本発明によれば、自己の管理していない端末が着呼側の通信端末装置である場合でも、別のゲートキーパ装置に着呼側の通信端末装置の位置情報要求とともに、報知形態設定情報と発呼側の通信端末装置の識別情報とを与え、これにより前記別のゲートキーパ装置は、着呼側の通信端末装置から参加要求がなされると、報知形態設定情報を着呼側の通信端末装置に送信するため、自己の管理していない端末に、ゲートキーパ装置が管理する報知形態設定情報を送信して、報知形態設定情報に基づいた報知状態を制御させることができる。
【００３２】
本発明の第１２の態様は、複数の通信端末装置と、これら複数の通信端末装置が接続され、これら複数の通信端末装置のうち少なくとも一つを管理するゲートキーパ装置とを有する通信システムを用いた通信制御方法において、ゲートキーパ装置が、所定の通信端末装置から発呼された着呼側の通信端末装置からの接続要求に対して、着呼の報知形態を設定する報知形態設定情報を前記着呼端末に送信するステップと、前記着呼側の通信端末装置が、前記ゲートキーパ装置から受信した報知形態設定情報に対応して、着呼の報知形態を制御するステップとを具備する通信制御方法である。
【００３３】
本発明によれば、ゲートキーパ装置が、所定の通信端末装置から発呼された着呼側の通信端末装置からの接続要求に対して、着呼の報知形態を設定する報知形態設定情報を前記着呼端末に送信し、着呼側の通信端末装置は、ゲートキーパ装置から受信した報知形態設定情報に対応して、着呼の報知形態を制御するため、着呼側の通信端末装置の着呼の報知形態をゲートキーパ装置において一元管理することができ、報知形態設定情報の変更などを容易に行うことができる。
【００３４】
以下、本発明の実施の形態について、図面を参照して詳細に説明する。
【００３５】
図１は、本発明の実施の形態に係る通信システムの全体構成を示すブロック図である。
【００３６】
通信システム１００は、ゲートキーパ装置１１０、１２０、１３０と、エンドポイント装置１１１、１１２、１２１、１３１で構成され、それぞれＬＡＮに接続されている。
【００３７】
ゲートキーパ装置１１０、１２０、１３０は、エンドポイント装置１１１、１１２、１２１、１３１のアドレス管理、通信を行うための帯域幅の管理、通信を開始する場合の許可の制御等のいわゆるゲートキーパ機能に加えて、各エンドポイント装置１１１、１１２、１２１，１３１において他のエンドポイント装置からの着呼の報知形態、この実施の形態では着信音に関する制御を行う。
【００３８】
エンドポイント装置１１１、１１２、１２１、１３１は、Ｈ．３２３によるシステムに対応する端末であり、ＩＰ電話、パソコン等である。
【００３９】
また、エンドポイント装置１１１，１１２は、ゲートキーパ装置１１０が呼を管理する範囲（ゾーン）１１４に属し、エンドポイント装置１２１は、ゲートキーパ装置１２０が呼を管理する範囲（ゾーン）１２２に属する。さらに、エンドポイント装置１３１は、ゲートキーパ装置１３０が呼を管理する範囲（ゾーン）１３２に属している。
【００４０】
図２は、本発明の実施の形態に係るゲートキーパ装置１１０の構成を示すブロック図である。
【００４１】
ゲートキーパ装置１１０は、管理部２０１、呼接続制御部２０２及びＴＣＰ／ＩＰ制御部２０３を備えている。
【００４２】
管理部２０１は、ＩＰアドレス記憶部２０４、着信音種別記憶部２０５、および呼情報記憶部２０６を有し、着呼の報知形態制御に関連して各エンドポイント装置１１１、１１２のアドレス情報（エイリアスアドレスおよびＩＰアドレス）と、管理下の各エンドポイント装置１１１、１１２に対応する着信音種別情報、および呼制御する際に用いられる呼情報を管理するものである。
【００４３】
ＩＰアドレス記憶部２０４は、図４に示すように、管理下の各エンドポイント装置１１１、１１２…のエイリアスアドレスとＩＰアドレスとを対応付けてエンドポイント装置毎に記憶している。具体的に、ＩＰアドレス記憶部２０４は、エンドポイント装置１１１のエイリアスアドレス「１０００」およびＩＰアドレス「１９２．１６８．１．１２」とを対応付けて記憶し、エンドポイント装置１１２のエイリアスアドレス「１００１」およびＩＰアドレス「１９２．１６８．１．１３」とを対応付けて記憶している。
【００４４】
着信音種別記憶部２０５は、図５に示すように、管理下の各エンドポイント装置１１１，１１２…のエイリアスアドレス（例えば、「１０００」、「１００１」）と、着信音の種別（例えば、「着信音Ａ」、「着信音Ｂ」）を対応付けて記憶している。つまり、各エンドポイント装置１１１、１１２…と、これら各エンドポイント装置１１１、１１２…が発呼した際の着呼側の通信端末装置の報知形態の種類とを対応づけた状態で記憶している。また、この着信音種別記憶部２０５は、デフォルト（初期値）に対応付けられた初期値としての着信音を記憶している。
【００４５】
呼情報記憶部２０６は、エンドポイント装置間で行われる呼の接続の制御において用いられる作業領域であり、図６に示すように、発信エンドポイント装置から送信されるＡＲＱ（参加要求）メッセージ毎に、発信エンドポイント装置に対応する着信音種別情報を対応づけて記憶する。
【００４６】
図６の呼情報記憶部２０６では、発信エンドポイント装置からのＡＲＱ（参加要求）メッセージは、発呼先に設定された着信エンドポイント装置から送信されるＡＲＱ（参加要求）メッセージに対して変数で対応付けられており、この変数（例えば、「１」、「２」）と、着信音種別（例えば、「着信音Ａ」、「着信音Ｂ」）とが対応付けられて記憶されている。なお、変数は、ｃａｌｌＩｄｅｎｔｉｆｉｅｒやｃａｌｌＲｅｆｅｒｅｎｃｅ  Ｖａｌｕｅ等の呼の識別子を用いると好適である。
【００４７】
呼接続制御部２０２は、管理部２０１内のＩＰアドレス記憶部２０４、着信音種別記憶部２０５からの情報の読み取り処理や、呼情報記憶部２０６への情報の読み書き処理を行う。また、呼接続制御部２０５は、ＴＣＰ／ＩＰ制御部２０３を介して入力された情報を用いて、各種のメッセージを生成し、ＴＣＰ／ＩＰ制御部２０３を通じて他の装置に対して、生成したメッセージを送信する。
【００４８】
さらに、ＴＣＰ／ＩＰ制御部２０３を通じて他の装置から受信したメッセージから所定の情報を取り出し、その情報に基づいてエンドポイント装置や他のゲートキーパ装置に送信する各メッセージを生成する。
【００４９】
呼接続制御部２０２により生成されるメッセージとしては、例えば、ＡＣＦ（参加確認）メッセージ、ＡＲＪ（参加拒否）メッセージ、ＬＲＱ（位置情報要求）メッセージ等のＨ．２２５．０ＲＡＳ制御メッセージ等が挙げられる。また呼接続制御部２０２にＴＣＰ／ＩＰ制御部２０３を通じて受信されるメッセージとしては、エンドポイント装置からのＡＲＱ（参加要求）メッセージ、他のゲートキーパ装置からのＬＣＦ（位置情報確認）メッセージ、ＬＲＪ（位置情報拒否）メッセージ等のＨ．２２５．０ＲＡＳ制御メッセージが挙げられれる。
【００５０】
例えば、呼接続制御部２０２は、発呼側のエンドポイント装置（以下「発信エンドポイント装置」という）により送信されるＡＲＱ（参加要求）メッセージから発信エンドポイント装置のエイリアスアドレス、発信エンドポイント装置の識別子、発呼先のエイリアスアドレスなどを受信する。また、呼接続制御部２０２は、受信したエイリアスアドレスをキーにして、着信音種別記憶部２０５から、発信側エイリアスアドレスに対応づけられた着信音種別を読み出す。さらに、呼接続制御部２０２は、読み出した着信音種別を、発信エンドポイント装置のＡＲＱ（参加要求）メッセージ毎に、呼の識別子（ここでは変数）と対応づけて、呼情報記憶部２０６に書き込む。
【００５１】
また、呼接続制御部２０２は、発信エンドポイント装置からのＡＲＱ（参加要求）メッセージで取得した発呼先のエンドポイント装置のエイリアスアドレスをキーにして、ＩＰアドレス記憶部２０４から、対応するＩＰアドレスを検索する。そして、検索した着呼側のエンドポイント装置のＩＰアドレスをＡＣＦ（参加確認）メッセージに編集して、発信エンドポイント装置に送信する。
【００５２】
また、呼接続制御部２０２は、発呼先の着信エンドポイント装置から受信したＡＲＱ（参加要求）メッセージに対して、発信エンドポイント装置に対応付けられた着信音種別を、呼情報記憶部２０６から読み込んで、発信エンドポイント装置の識別子とともにをＡＣＦ（参加確認）メッセージに編集して、着信エンドポイント装置に送信する。
【００５３】
ＴＣＰ／ＩＰ制御部２０３は、ＬＡＮ上でＩＰ通信を行うためのインターフェイスである。
【００５４】
ゾーン１２２、ゾーン１３２に位置するゲートキーパ装置１２０、ゲートキーパ装置１３０は、呼接続制御部、管理部およびＴＣＰ／ＩＰなど、上記のゲートキーパ装置１１０の内部構成と同様の内部構成を有する。よって、異なる構成のみ説明し、その詳細な説明を省略する。
【００５５】
ゲートキーパ装置１２０、１３０は、ゲートキーパ装置１１０の管理部２０１と同様に、それぞれのゲートキーパ装置が管理しているエンドポイント装置のエイリアスアドレス、ＩＰアドレス、管理下のエンドポイント装置にそれぞれ対応する着信音種別などが予め記憶され、これらを一元的に管理している。
【００５６】
例えば、ゲートキーパ装置１２０はゲートキーパ装置１１０と同様の構成の管理部内に、図９に示す、ＩＰアドレス記憶部の内部構成の一例を示すテーブル１２０１と、図１０に示す、呼情報記憶部の内部構成の一例を示すテーブル１２０２等とを有している。図９のテーブル１２０１に示すように、ゲートキーパ装置１２０のＩＰアドレス記憶部は、エンドポイント装置１２１…のエイリアスアドレス「２０００」およびＩＰアドレス「１９２．１６８．１．２２」…とを対応付けて記憶している。また、図１０のテーブル１２０２に示すように、ゲートキーパ装置１２０の呼情報記憶部は、呼の識別子「１１１１」および着信音種別「着信音Ａ」とを対応付けて記憶している。
【００５７】
また、各ゲートキーパ装置１２０、１３０は、他のゲートキーパ装置、例えば、ゲートキーパ装置１１０からＬＲＱ（位置情報要求）メッセージを受信したときに、ＬＲＱに編集された着信エンドポイント装置が管理下に存在するか否かを、予め記憶された情報に基づいて判定する。この判定の結果、着信エンドポイント装置を管理していると判定した場合、予め記憶された着信エンドポイント装置のＩＰアドレスを抽出する。一方、着信エンドポイント装置を管理していないと判定された場合は、その旨を通知するためのＬＲＪ（Ｈ．３２３の位置情報拒絶メッセージ）を生成し、ＬＲＱ（位置情報要求）メッセージを送信した他のゲートキーパ装置、例えば、ゲートキーパ装置１１０に対して返信する。
【００５８】
また、各ゲートキーパ装置１２０、１３０は、取得したＩＰアドレスを通知するためのＬＣＦ（位置情報確認）メッセージを生成し、他のゲートキーパ装置、例えばゲートキーパ装置１１０に対して返信する。
【００５９】
また、本実施の形態では、エンドポイント装置１１１と１１２、１２１、１３１が３つのゾーン１１４、１２２、１３２に属し、３つのゲートキーパ装置１１０、１２０、１３０によって管理されているシステム構成を例にとって説明しているが、エンドポイント装置１１１と１１２、１２１、１３１の配置が複数のゾーンに分けられず、１つのゲートキーパ装置によって管理されるシステム構成であっても良い。
【００６０】
次に、エンドポイント装置１１１、１１２、１２１、１３１の構成を説明する。各エンドポイント装置１１１，１１２、１２１、１３１はそれぞれ同様の構成を有するものであるが、ここでは、本発明の特徴である着呼側の通信端末装置となる着信エンドポイント装置１１２について説明する。
【００６１】
図３は、エンドポイント装置１１２の内部構成を示すブロック図である。
【００６２】
エンドポイント装置１１２は、それぞれＴＣＰ／ＩＰ制御部１１２１、呼接続制御部１１２２、着信音管理部１１２３および鳴動部１１２４を備えている。
【００６３】
ＴＣＰ／ＩＰ制御部１１２１は、ＬＡＮ上でＩＰ通信を行うためのインターフェイスである。
【００６４】
呼接続制御部１１２２は、着信音管理部１１２３からの情報の読み取り処理や、着信音管理部１１２３への情報の読み書き処理を行う。また、呼接続制御部１１２２は、ＴＣＰ／ＩＰ制御部１１２１を介して入力された情報を用いて、各種のメッセージを生成し、ＴＣＰ／ＩＰ制御部１１２１を通じてエンドポイント装置、ゲートキーパ装置に対して、生成したメッセージを送信する。また、ＴＣＰ／ＩＰ制御部１１２１を通じて他の装置から受信したメッセージから所定の情報を取り出し、その情報に基づいてエンドポイント装置や他のゲートキーパ装置に送信する各メッセージを生成する等の呼の接続制御を行う。
【００６５】
また、呼接続制御部１１２２は、ゲートキーパ装置１１０から送信されたＡＣＦ（参加確認）メッセージから、発信エンドポイント装置の着信音種別を取得し、この取得した着信音種別に基づいて、鳴動部１１２４による着呼の着信音や着信音パタンを制御する。
【００６６】
着信音管理部１１２３は、呼接続制御部１１２２により読み出し書き込み自在であるものであり、着信音種別記憶部１１２５、着信音パタン記憶部１１２６を有する。
【００６７】
着信音種別記憶部１１２５は、図７に示すように、呼を識別する呼の識別子（例えば、「１１１１」、「２２２２」）と、着信音種別（例えば、「着信音Ａ」、「着信音Ｂ」）とを対応づけて記憶する。
【００６８】
着信音パタン記憶部１１２６は、図８に示すように、着信音種別（例えば、「着信音Ａ」、「着信音Ｂ」）に対応する着信音（着信音パタン）をデータとして記憶している。
【００６９】
鳴動部１１２４は、呼接続制御部１１２２に制御され、エンドポイント装置１１２に着呼があったとき、着呼を報知すべく放音するように構成されている。この実施の形態では、着信音をならすスピーカなどから構成されている。
【００７０】
次に、上記構成を有する通信システム１００、ゲートキーパ装置１１０および着信エンドポイント装置の動作について、図１１〜図１３を用いて説明する。
【００７１】
＜ゾーン内における発着信の場合＞
ここでは、図１に示す通信システム１００において、発信エンドポイント装置１１１の発呼先を着信エンドポイント装置１１２とし、ゲートキーパ装置１１０が管理する同一ゾーン１１４内で発着信が行われた場合について説明する。
【００７２】
図１１は、通信システム１００の動作を説明するためのシーケンス図である。図１２は、ゲートキーパ装置１１０の動作を説明するためのフローチャートである。図１３は、着信エンドポイント装置１１２の動作を説明するためのフローチャートである。図１１において、エンドポイント装置の動作ステップはＥの番号を付して示し、ゲートキーパ装置の動作ステップはＧの番号を付して示す。
【００７３】
発信エンドポイント装置１１１は、着信エンドポイント装置１１２に対して発呼するために、自身のエイリアスアドレス（Ｅ．１６４アドレスや、Ｅ−ｍａｉｌアドレス等）例えば、“１０００”と、発呼先の着信エンドポイント装置１１２のエイリアスアドレス、例えば、“１００１”とを含んだＨ．３２３の参加要求（ＡＲＱ）メッセージをゲートキーパ装置１１０に送信する（ステップＥ１０１）。
【００７４】
ゲートキーパ装置１１０がＡＲＱ（参加要求）メッセージを受け取ると、図１２に示すような内部動作を行う。
【００７５】
ゲートキーパ装置１１０は、図１２に示すように、参加要求（ＡＲＱ）メッセージを受け取る（図１１に示すステップＥ１０１）と、ステップＧ３０１にて、ＡＲＱ（参加要求）メッセージに設定された発信エンドポイント装置１１１および着信エンドポイント装置１１２のエイリアスアドレス、“１０００”、“１００１”を取得する（Ｇ３０１）。
【００７６】
次いで、ステップＧ３０２において、ゲートキーパ装置１１０内の呼接続制御部２０２は、ＡＲＱ（参加要求）メッセージから取得した着信エンドポイント装置１１２のエイリアスアドレス“１００１”に対応するＩＰアドレス“１９２．１６８．１．１３”を、ＩＰアドレス記憶部２０４から取得する。
【００７７】
ステップＧ３０２において、着信エンドポイント装置１１２のエイリアスアドレスに対応するＩＰアドレス“１９２．１６８．１．１３”を取得できた場合（ステップＧ３０２：ＹＥＳ）、着信エンドポイント装置１１２は、ゲートキーパ装置１１０が管理するゾーン１１４内に存在することになる。
【００７８】
これにより、呼接続制御部２０２は、着信音種別記憶部２０５において、発信エンドポイント装置１１１のエイリアスアドレス“１０００”をキーにして、エイリアスアドレス“１０００”に対応する着信音種別“着信音Ａ”を取得して、呼情報記憶部２０６に所定の変数“１”に対応づけて書き込む（Ｇ３０４）。この所定の変数は、発信エンドポイント装置１１１からのＡＲＱ（参加要求）メッセージと、着信エンドポイント装置１１２からのＡＲＱ（参加要求）メッセージに対応づけるためのものであり、例えば、ｃａｌｌ  Ｉｄｅｎｔｉｆｉｅｒやｃａｌｌ  Ｒｅｆｅｒｅｎｃｅ  Ｖａｌｕｅなどが用いられる。
【００７９】
また、ステップＧ３０２において、着信エンドポイント装置１１２のエイリアスアドレスに対応するＩＰアドレスが取得できない場合（ステップＧ３０２：ＮＯ）、呼接続制御部２０２は、ステップＧ３０３において、ＡＲＪ（参加拒否）メッセージをＴＣＰ／ＩＰ制御部２０３から発信エンドポイント装置１１１に送信する処理を実行するか、あるいは、他のゲートキーパ装置（例えば、“ゲートキーパ装置１２０，１３０”）が管理する他のゾーン（例えば、“ゾーン１２２、１３２”）との接続が有効な場合は、他ゾーンのゲートキーパ装置（例えば、ゲートキーパ装置１２０、１３０）に、ＬＲＱ（位置情報要求）メッセージを送信してゾーン間の呼の発着信処理を行う。なお、ゾーン間における呼の発着信の場合についての詳細は後述する。
【００８０】
ステップＧ３０４に次いで、ステップＧ３０５においては、呼接続制御部２０２は、取得した発信エンドポイント装置１１１のエイリアスアドレス“１０００”に対応する着信音種別“着信音Ａ”とをＡＣＦ（参加確認）メッセージに設定して、発信エンドポイント装置１１１に送信し（図１１のステップＧ１０１参照）、着信エンドポイント装置１１２からのＡＲＱ（参加要求）メッセージを受信するまで待機する。
【００８１】
発信エンドポイント装置１１１は、ゲートキーパ装置１１０から着信エンドポイント装置１０４のＩＰアドレス“１９２．１６８．１．１３”を編集した参加確認（ＡＣＦ）メッセージを受信する（図１１のステップＧ１０１参照）と、Ｈ．３２３の呼設定（ＳＥＴＵＰ）メッセージにより着信エンドポイント装置１１２に発呼する（ステップＥ１０２）。
【００８２】
次いで、ＳＥＴＵＰ（呼設定）メッセージを受け取った着信エンドポイント装置１１２は、発信エンドポイント装置１１１から送信されたＳＥＴＵＰ（呼設定）メッセージに設定された着信音種別“着信音Ａ”を、呼の識別子“１１１１”をキーとして対応づけて着信音種別記憶部１１２５に保持し、呼設定受付（ＣＡＬＬ  ＰＲＯＣＥＥＤＩＮＧ）を発信エンドポイント装置１１１に送信する（ステップＥ１０３）。次いで、着信エンドポイント装置１１２は、自身のエイリアスアドレス“１００１”を編集した参加要求（ＡＲＱ）メッセージをゲートキーパ装置１１０に送信する（ステップＥ１０４）。
【００８３】
すると、ゲートキーパ装置１１０は、図１２に示すように、ステップＧ３０６において、着信エンドポイント装置１１２から送信された参加要求（ＡＲＱ）メッセージを受け取る。次いで、ステップＧ３０７において、呼接続制御部２０２は、呼情報記憶部２０６から、発信エンドポイント装置１１１のＡＲＱ（参加要求）メッセージと着信エンドポイント装置１１２のＡＲＱ（参加要求）メッセージとを対応付ける変数“１”をキーにして、着信音種別“着信音Ａ”を取得して、着信エンドポイント装置１１２へ送信するＡＣＦ（参加確認）メッセージに設定する。
【００８４】
ここで、着信音種別を取得できない場合、着信音種別記憶部２０５から予め設定された初期値（デフォルト）として対応づけられた、予め設定された初期値としての着信音を発信エンドポイント装置１１１からの着信音として設定する。なお、着信音種別を取得できない場合とは、ゲートキーパ装置１１０において、エンドポイント装置のＩＰアドレスやエイリアスアドレスとともに、エンドポイント装置に対応する着信音種別が記憶されていない場合等が考えられる。
【００８５】
次いで、ステップＧ３０８において、着信エンドポイント装置へＡＣＦ（参加確認）メッセージを送信する。
【００８６】
着信エンドポイント装置１１２は、ゲートキーパ装置１１０から送信された参加確認（ＡＣＦ）メッセージを受け取り（図１１に示すステップＧ１０２）、呼出（ＡＬＥＲＴＩＮＧ）メッセージを発信エンドポイント装置１１１に送信する（ステップＥ１０５）まで、図１３に示すフローチャートに基づく内部処理を行う。
【００８７】
着信エンドポイント装置１１２は、ステップＥ２０１において、ゲートキーパ装置１１０から受信したＡＣＦ（参加確認）メッセージに設定された着信音種別を取得する。
【００８８】
次いで、ステップＥ２０２において、呼接続制御部１１２２は、呼の識別子“１１１１”をキーに着信音種別記憶部１１２５から着信音種別“着信音Ａ”を取得し、この着信音種別“着信音Ａ”に対応する着信音を着信音パタン記憶部１１２６から読み出して、鳴動部１１２４を制御することで、着信種別“着信音Ａ”で着信鳴動、つまり、着呼を報知する着呼報知形態を制御する。
【００８９】
よって、着信エンドポイント装置１１２では、呼接続制御部１１２２は、ゲートキーパ装置１１０から受信した着信音種別に対応した着信音パタンを着信音パタン記憶部１１２６から読み出して鳴動部１１２４を用いて着呼の着信音を制御するため、ゲートキーパ装置１１０から送信される着信音種別に応じた着呼の着信音を制御することができる。また、着信音種別に対応する着信音パタンが着信音パタン記憶部１１２６に記憶されているので、ゲートキーパ装置１１０から送信される着信音種別の情報量を、当該着信音種別に着信音パタンまで含ませたものと比べて、少なくすることができる。
【００９０】
そして、着信エンドポイント装置１１２は、発信エンドポイント装置１１１に、呼出（ＡＬＥＲＴＩＮＧ）メッセージを送信する。
【００９１】
＜ゾーン間における発着信の場合＞
ここでは、図１に示す通信システム１００において、発信エンドポイント装置１１１の発呼先が他ゾーン１２０内に存在し、異なるゾーン間で発着信が行われた場合について説明する。
【００９２】
図１４は、通信システム１００の動作を説明するためのシーケンス図である。図１５は、ゲートキーパ装置１１０の動作を説明するためのフローチャートである。図１６は、他ゾーンを管理するゲートキーパ装置１２０、１３０の動作を説明するためのフローチャートである。図１４において、エンドポイント装置の動作ステップはＥの番号を付して示し、ゲートキーパ装置の動作ステップはＧの番号を付して示す。
【００９３】
発信エンドポイント装置１１１は、あるエンドポイント装置に対して発呼するために、自身のエイリアスアドレス（Ｅ．１６４アドレスや、Ｅ−ｍａｉｌアドレス等）例えば、“１０００”と、発呼先の着信エンドポイント装置のエイリアスアドレス、例えば、着信エンドポイント装置１２１のエイリアスアドレス“２０００”とを含んだＨ．３２３の参加要求（ＡＲＱ）メッセージをゲートキーパ装置１１０に送信する（ステップＥ３０１）。
【００９４】
ゲートキーパ装置１１０は、図１５示すように、ステップＧ４０１において、参加要求（ＡＲＱ）メッセージを受け取る（図１４に示すステップＥ３０１）と、ＡＲＱ（参加要求）メッセージに設定された発信エンドポイント装置１１１、着信エンドポイント装置１２１のエイリアスアドレス、“１０００”、“２００”、および発信エンドポイント装置１１１の識別子（例えば、ｃａｌｌＩｄｅｎｔｉｆｉｅｒやｃａｌｌＲｅｆｅｒｅｎｃｅ  Ｖａｌｕｅ等）ここでは“１１１１”を取得する。
【００９５】
次いで、ステップＧ４０２において、ゲートキーパ装置１１０内の呼接続制御部２０２は、ＡＲＱ（参加要求）メッセージから取得した着信エンドポイント装置１２１のエイリアスアドレス“２０００”に対応するＩＰアドレスを、ＩＰアドレス記憶部２０４から取得する。
【００９６】
ステップＧ４０２において、着信エンドポイント装置１２１のエイリアスアドレスに対応するＩＰアドレスを取得できた場合（ステップＧ４０２：ＹＥＳ）、は、着信エンドポイント装置１２１がゲートキーパ装置１１０の管理するゾーン１１４内に存在することになり、ステップＧ４０３にてゾーン内発着信の処理を行う。なお、ステップＧ４０３の処理は、ゾーン内発着信処理にて説明したステップＧ３０４の処理であり、ゲートキーパ装置１１０は、ステップＧ３０４〜ステップＧ３０８の処理を行う（図１２参照）。
【００９７】
ステップＧ４０２において、着信エンドポイント装置１２１のエイリアスアドレス“２０００”に対応するＩＰアドレスが取得できない場合（ステップＧ４０２：ＮＯ）、呼接続制御部２０２は、着信音種別記憶部２０５において、発信エンドポイント装置１１１のエイリアスアドレス“１０００”をキーにして、エイリアスアドレス“１０００”に対応する着信音種別“着信音Ａ”を取得する。そして、呼接続制御部２０２は、この着信音種別“着信音Ａ”と、着信エンドポイント装置１１１のＡＲＱ（参加要求）メッセージから取得した発信エンドポイント装置１１１の識別子、例えば、“１１１１”とを編集して、他のゾーンを管理する他のゲートキーパ装置１２０、１３０に送信するためのＬＲＱ（位置情報要求）メッセージに設定する（ステップＧ４０４）。
【００９８】
次いで、ステップＧ４０５において、ゾーン接続が有効な場合、隣接する他のゾーン１２２、１３２を管理する他のエンドポイント装置１２０、１３０に、着信音種別“着信音Ａ”および発信エンドポイント装置の識別子“１１１１”が設定されたＬＲＱ（位置情報要求）メッセージを送信する（図１４に示すステップＧ５０１、ステップＧ５０２参照）。
【００９９】
そして、他のゲートキーパ装置１２０、１３０からＬＣＦ（位置情報確認）メッセージが送信されるまで所定時間待機する。
【０１００】
ここで、ゲートキーパ装置１１０からＬＲＱ（位置情報要求）メッセージが送信された他のゲートキーパ装置１２０，１３０の内部処理について説明する。
【０１０１】
他のゲートキーパ装置（例えば、ゲートキーパ装置１２０，１３０）は、それぞれ、ゲートキーパ装置１１０からＬＲＱ（位置情報要求）メッセージを受信して、発信エンドポイント装置１１１の着信音種別“着信音Ａ”、発信エンドポイント装置のＩＰアドレス“１９２．１６８．１．１２”、呼の識別子“１１１１”、着信エンドポイント装置１２１のエイリアスアドレス“２０００”等を取得する。
【０１０２】
次いで、これらゲートキーパ装置１２０、１３０では、呼接続制御部が、ゲートキーパ装置１２０、１３０の管理部に格納された管理下のエンドポイント装置のＩＰアドレスが記憶されたＩＰアドレス記憶部から、着信エンドポイント装置のエイリアスアドレス“２０００”をキーに、着信エンドポイント装置のＩＰアドレスを検索する。
【０１０３】
ゲートキーパ装置１２０では、ＩＰアドレス記憶部の内部構成を示すテーブル１２０１に示すように、管理下にエイリアスアドレス“２０００”の着信エンドポイント装置１２１が存在しているので、着信エンドポイント装置１２１のＩＰアドレス“１９２．１６８．１．２２”を取得できる。
【０１０４】
そして、エンドポイント装置１２０は、管理部の呼情報記憶部１２０２に、呼の識別子“１１１１”をキーとして、識別子“１１１１”に対応する着信音種別“着信音Ａ”を設定して保持するとともに、管理下に該当する着信エンドポイント装置１２１が存在する旨および着信エンドポイント装置１２１のＩＰアドレス“１９２．１６８．１．２２”を通知するためのＬＣＦ（位置情報確認）メッセージを生成して、ゲートキーパ装置１１０に送信する（図１４のステップＧ５０３）。
【０１０５】
これに対して、エンドポイント装置１３０においては、該当するエンドポイント装置が存在しないため、着信エンドポイント装置のＩＰアドレスを取得することができず、その旨を伝えるためのＬＲＪ（位置情報拒否）メッセージを編集し、ゲートキーパ装置１１０に送信する（図１４のステップＧ５０４）。
【０１０６】
ゲートキーパ装置１１０では、ステップＧ４０５においてＬＲＱ（位置情報要求）メッセージ送信の処理の後、ステップＧ４０６において、所定時間内に、隣接する他のゲートキーパ装置１２０、１３０からのＬＣＦ（位置情報確認）メッセージを受信したか否かを判別する。所定時間内に他のゲートキーパ装置からＬＣＦ（位置情報確認）メッセージを受信できなければ（ステップＧ４０６：ＮＯ）、ステップＧ４０８において発信エンドポイント装置１１１に、着信エンドポイント装置が見つからなかった旨を示すＡＲＪ（参加拒否）メッセージを送信する。すなわち、他のエンドポイント装置からＬＲＪ（位置情報拒否）メッセージを受信した場合や所定時間内にＬＣＦ（位置情報確認）メッセージが無い場合は、発信エンドポイント装置にＡＲＪ（参加拒否）メッセージを送信する。
【０１０７】
この実施の形態では、ゲートキーパ装置１２０の管理下に着信エンドポイント装置１２１が存在するため、ゲートキーパ装置１１０には所定時間内にＬＣＦ（位置情報確認）メッセージが送信されている（図１４のステップＧ５０３参照）。
【０１０８】
また、ステップＧ４０６において、ＬＣＦ（位置情報確認）メッセージを受信できれば（ステップＧ４０６：ＹＥＳ）、着信音種別記憶部２０５から発信エンドポイント装置１１１の着信音種別“着信音Ａ”を取得する。そして、ステップＧ４０７において、取得した着信音種別“着信音Ａ”、着信エンドポイント装置のＩＰアドレス、呼の識別子“１１１１”等を編集してＡＣＦ（参加確認）メッセージを着信エンドポイント装置１２１に送信する（図１４のステップＧ５０５参照）。
【０１０９】
ＡＣＦ（参加確認）メッセージを受信した着信エンドポイント装置１１１は、ＡＣＦ（参加確認）メッセージから取得した着信音種別、発呼先である着信エンドポイント装置１２１のＩＰアドレス“１９２．１６８．１．２２”、呼の識別子“１１１１”などを編集してＳＥＴＵＰ（呼設定）メッセージを作成し、着信エンドポイント装置１２１に送信する（図１４のステップＥ３０２）。
【０１１０】
次いで、着信エンドポイント装置１２１は、受信したＳＥＴＵＰ（呼設定）メッセージに設定された着信音種別“着信音Ａ”を、呼の識別子“１１１１”をキーとして対応づけて着信音種別記憶部に保持し、呼設定受付（ＣＡＬＬ  ＰＲＯＣＥＥＤＩＮＧ）を発信エンドポイント装置１１１に送信する（ステップＥ３０３）。
【０１１１】
次いで、着信エンドポイント装置１２１は、自身のエイリアスアドレス“２０００”を含む参加要求（ＡＲＱ）メッセージを編集して、ゲートキーパ装置１２０に送信する（ステップＥ３０４）。
【０１１２】
ゲートキーパ装置１２０は、参加要求（ＡＲＱ）メッセージを受け取り（ステップＥ３０４）、参加確認（ＡＣＦ）メッセージを送信する（ステップＧ５０６）まで、図１６に示すフローチャートに基づく内部処理を行う。
【０１１３】
ステップＧ６０１において、ゲートキーパ装置１２０内の呼接続制御部は、ＴＣＰ／ＩＰ制御部を介して、着信エンドポイント装置１２１から送信された参加要求（ＡＲＱ）メッセージを受け取る。
【０１１４】
次いで、ステップＧ６０２において、呼接続制御部は、呼の識別子と着信音種別とが対応付けられて格納されている呼情報記憶部から、呼の識別子“１１１１”をキーとして、対応する着信音種別を検索する。このステップＧ６０２において、呼接続制御部が、対応する着信音種別を検索して取得できれば、ステップＧ６０４に移行し、着信エンドポイント装置１２１へ着信音種別“着信音Ａ”、呼の識別子“１１１１”などをＡＣＦ（参加確認）メッセージに編集し、編集したＡＣＦ（参加確認）メッセージを、着信エンドポイント装置１２１へ送信する。
【０１１５】
ステップＧ６０２において、着信音種別を取得できない場合（ステップＧ６０２：ＮＯ）、着信音種別記憶部に予め設定された初期値（デフォルト）に対応づけられた着信音を発信エンドポイント装置１２１からの着信音として設定し（ステップＧ６０３）、この初期値としての着信音をＡＣＦ（参加確認）メッセージに編集し、着信エンドポイント装置へ送信する（ステップＧ６０４）。
【０１１６】
着信エンドポイント装置１２１は、ゲートキーパ装置１２０から送信された参加確認（ＡＣＦ）メッセージを受け取り（図１４に示すステップＧ５０６）、このＡＣＦ（参加確認）メッセージに設定された着信音種別“着信音Ａ”および呼の識別子“１１１１”とを取得する。
【０１１７】
次いで、着信エンドポイント装置１２１では、呼接続制御部が、呼の識別子“１１１１”をキーに着信音種別記憶部から着信音種別“着信音Ａ”を取得し、この着信音種別“着信音Ａ”に対応する着信音を着信音パタン管理部から読み出して、鳴動部を制御することで、着信種別“着信音Ａ”で着信鳴動、つまり、着呼を報知する着呼報知形態を制御する。このとき、着信エンドポイント装置１２１では、ゲートキーパ装置１２０から送信されたＡＣＦ（参加確認）メッセージから取得する呼の識別子と、発信エンドポイント装置１１１から送信されたＡＲＱ（参加要求）メッセージの呼の識別子とを比較することで、発信エンドポイント装置１１１からの発呼であることを確認することができる。
【０１１８】
そして、着信エンドポイント装置１２１は、発信エンドポイント装置１１１に、呼出（ＡＬＥＲＴＩＮＧ）メッセージを送信する（ステップＥ３０５）。
【０１１９】
本実施の形態によれば、ゲートキーパ装置１１０では、エンドポイント装置に対応した着信音種別が着信音種別記憶部２０５により記憶されているので、ゲートキーパ装置１１０において、発信エンドポイント装置１１１となるエンドポイント装置毎の着信音種別を一元管理することができる。よって、発信エンドポイント装置の意図する着信音種別を設定しておくことで、着信エンドポイント装置における着信音の鳴り分けをゲートキーパ装置にて行うことができる。これにより、着信エンドポイント装置１１２では、着信音により、どのエンドポイント装置からの発呼であるか、着信エンドポイント装置を用いて実際に応答することなく知ることができる。
【０１２０】
また、所定のエンドポイント装置に対応する着信音種別を変更したい場合、エンドポイント装置毎に変更する必要がなく、それらを一元管理するゲートキーパ装置１１０にて、着信音種別を変更することができる。
【０１２１】
また、着信音種別はゲートキーパ装置からＡＣＦ信号に含ませて送信されるため、Ｈ．２２５．０ＲＡＳ制御メッセージを用いて、ゲートキーパ装置１１０により着信エンドポイント装置１２１に着信音種別を送信している。よって、ゲートキーパ装置１１０は、Ｈ．２２５．０ＲＡＳ制御メッセージを用いて着信エンドポイント装置の着信音を管理することができる。
【０１２２】
また、ゲートキーパ装置１１０の呼接続制御部２０２は、着信エンドポイント装置１２１が自己の管理していない端末である場合、別のゲートキーパ装置１２０、１３０に対して着信エンドポイント装置１２１の位置情報要求を行うため、ゾーンの異なる別のゲートキーパ装置１１０に接続することができる。
【０１２３】
さらに、ゲートキーパ装置１１０は、所定時間内で別のゲートキーパ装置から応答がない場合、発信エンドポイント装置１１１に接続拒絶を示す信号を送信するため、他のゲートキーパ装置を介して着信エンドポイント装置１２１に接続されないことから生じる時間の浪費を防ぎ、発信エンドポイント装置１１１からの呼の接続制御を効率良く行うことができる。
【０１２４】
さらに、ゲートキーパ装置１１０では、着信エンドポイント装置における着呼の着信音が決定されていない場合または、着呼の着信音種別を取得できない場合でも、着信エンドポイント装置に着信音種別を送信して、当該着信エンドポイント装置で着呼を制御させることができる。
【０１２５】
なお、上記実施の形態では、発信エンドポイント装置からＡＲＱ（参加要求）メッセージを受けた際に、発信エンドポイント装置に送信するＡＣＦ（参加確認）メッセージに、発信エンドポイント装置に対応した着信音種別を設定した構成としたが、着信エンドポイント装置のＡＲＱ（参加要求）メッセージに設定しさえすれば、発信エンドポイント装置へのＡＣＦ（参加確認）メッセージには設定しなくてもよい。着信エンドポイント装置へのＡＣＦ（参加確認）メッセージに設定した場合は、これを受けた発信エンドポイント装置が、着信音種別をＳＥＴＵＰ（呼設定）メッセージに編集して、着信エンドポイント装置に送信することで、着信エンドポイント装置は、ゲートキーパ装置からＡＣＦ（参加確認）メッセージを受けた際に、先に送信された発信エンドポイント装置からの着信音種別と同じかどうか確認することができる。
【０１２６】
また、上記実施の形態では、ゲートキーパ装置から着信音種別を受けた着信エンドポイント装置が、それに対応する着信音パタンを自身の着信音管理部１１２３の着信音パタン記憶部１１２６から読み込み、鳴動部１１２４にて鳴動、つまり、着音を鳴らす構成としたが、これに限らず、ゲートキーパ装置から取得した着信音種別自体に着信音パタンデータを含ませて、着信音種別を受けて、そのまま鳴動部１１２４にて鳴動させるようにしてもよい。
【０１２７】
なお、上記実施形態をハンティング着信、スタティックゲートウェイ着信、コールフォーワーディングなどの方式に適用し、発信エンドポイント装置により意図されていないエンドポイント装置への着信の際にも、ゲートキーパ装置により着信エンドポイント装置における着信音の鳴り分けが可能となる。
【０１２８】
また、上記実施の形態では、ゲートキーパ装置から着信エンドポイント装置に、発信エンドポイント装置側に対応した報知形態情報設定情報を送信することで、着信エンドポイント装置の着信音を鳴り分けるようにしたが、ゲートキーパ装置により、着信エンドポイント装置での報知形態を管理できれば、どのような形態で管理してもよい。すなわち、ゲートキーパ装置において記憶される着信音種別を、光の色、振動などの情報とし、これに対応して着信エンドポイント装置の鳴動部を、ゲートキーパ装置から送信される報知形態設定情報としての光の色、振動種別に対応して発光制御や振動制御される発光部や、振動部とした構成としてもよい。
【０１２９】
これにより、着信エンドポイント装置において、発信者ごとに色や振動で報知することができる。
【０１３０】
【発明の効果】
以上説明したように、本発明によれば、着信音を、発呼側の通信端末装置での設定を行わずに、容易に設定して鳴り分けることができる。
【図面の簡単な説明】
【図１】本発明の実施の形態に係る通信システムの全体構成を示すブロック図
【図２】本発明の実施の形態に係るゲートキーパ装置の内部構成を示すブロック図
【図３】本発明の実施の形態に係るエンドポイント装置の内部構成を示すブロック図
【図４】図２に示すゲートキーパ装置のＩＰアドレス記憶部の内部構成の一例を示す図
【図５】図２に示すゲートキーパ装置の着信音種別記憶部の内部構成の一例を示す図
【図６】図２に示すゲートキーパ装置の呼情報記憶部の内部構成の一例を示す図
【図７】着信エンドポイント装置の着信音種別記憶部の内部構成の一例を示す図
【図８】着信エンドポイント装置の着信音パタン記憶部の内部構成の一例を示す図
【図９】ゲートキーパ装置におけるＩＰアドレス記憶部の内部構成の一例を示す図
【図１０】ゲートキーパ装置における呼情報記憶部の内部構成の一例を示す図
【図１１】通信システムの動作を説明するためのシーケンス図
【図１２】ゲートキーパ装置の動作を説明するためのフローチャート
【図１３】着信エンドポイント装置の動作を説明するためのフローチャート
【図１４】通信システムの動作を説明するためのシーケンス図
【図１５】ゲートキーパ装置の動作を説明するためのフローチャート
【図１６】他ゾーンを管理するゲートキーパ装置の動作を説明するためのフローチャート
【符号の説明】
１００  通信システム
１１０、１２０、１３０  ゲートキーパ装置
１１１、発信エンドポイント装置
１１２、着信エンドポイント装置
１２１、１３１  エンドポイント装置
２０２、１１２２  呼接続制御部
２０１  管理部
２０５  着信音種別記憶部
１１２４  鳴動部
１１２６  着信音パタン記憶部
【図１】
2005026997.tif 000003
【図２】
2005026997.tif 000004
【図３】
2005026997.tif 000005
【図４】
2005026997.tif 000006
【図５】
2005026997.tif 000007
【図６】
2005026997.tif 000008
【図７】
2005026997.tif 000009
【図８】
2005026997.tif 000010
【図９】
2005026997.tif 000011
【図１０】
2005026997.tif 000012
【図１１】
2005026997.tif 000013
【図１２】
2005026997.tif 000014
【図１３】
2005026997.tif 000015
【図１４】
2005026997.tif 000016
【図１５】
2005026997.tif 000017
【図１６】
2005026997.tif 000018